(57)【要約】      （修正有）【課題】撮影時に、露光開始や露光終了を被写体に効果的に通知する技術を提供する。【解決手段】撮影部１２を有する通信装置１は、ユーザの操作を操作部１４において受け付けて、撮影部１２に含まれるカメラモジュールにより撮影する。通信装置１は、他の通信装置と無線通信するための無線通信部１１を含む。通信装置１は、他の通信装置へ、撮影部１２による露光開始タイミング、露光終了タイミングを送信する。他の通信装置は、通信装置１からの露光開始タイミング通知、露光終了タイミング通知を受信して、報知部のバイブレータにより、露光開始や露光終了を他の通信装置のユーザへ報知する。【選択図】図２
2014050074.tif 000002
【特許請求の範囲】
【請求項１】
撮影機能を有する無線通信端末であって、
ユーザの操作を受け付ける操作部と、
カメラモジュールを含み、前記操作部が受け付けた撮影操作に応じて前記カメラモジュールにより撮影する撮影部と、
他の無線通信端末と無線通信するための通信部と、
前記撮影部による撮影時に、被写体となる他のユーザの無線通信端末へ、前記撮影部の露光タイミングを示す露光タイミング情報を前記通信部により送信する制御部とを含む、
無線通信端末。
【請求項２】
前記制御部は、前記撮影部による撮影時の露光が終了するタイミングを、前記露光タイミング情報として前記他のユーザの無線通信端末へ送信する、
請求項１記載の無線通信端末。
【請求項３】
前記制御部は、前記撮影部による撮影時の露光が開始するタイミングを、露光タイミング情報として前記他のユーザの無線通信端末へ送信する、
請求項１または２に記載の無線通信端末。
【請求項４】
前記制御部は、撮影モードに応じた露光時間の長さを示す情報を、前記露光タイミング情報として前記他のユーザの無線通信端末へ送信する、
請求項１から３のいずれかに記載の無線通信端末。
【請求項５】
前記制御部は、前記撮影部による撮影時に、被写体となる他のユーザの無線通信端末と前記通信部との無線通信接続を確立し、前記無線通信接続が確立された無線通信端末へ、前記露光タイミング情報を送信する、
請求項１から４のいずれかに記載の無線通信端末。
【請求項６】
前記制御部は、前記無線通信端末の周囲にある少なくとも１つの他の無線通信端末を検出し、検出された他の無線通信端末のうち、前記操作部により選択操作を受け付けた他の無線通信端末と、前記通信部との無線通信接続を確立し、前記無線通信接続が確立された無線通信端末へ、前記露光タイミング情報を送信する、
請求項５に記載の無線通信端末。
【請求項７】
前記無線通信端末は、各ユーザと対応づけて、各ユーザを識別する識別情報をそれぞれ記憶するための記憶部を含み、
前記制御部は、前記識別情報に基づいて、前記他のユーザを示す情報を表示部に表示し、前記操作部により前記他のユーザの選択操作を受け付けることで、選択されたユーザの無線通信端末との無線通信接続を確立する、
請求項６記載の無線通信端末。
【請求項８】
前記制御部は、近距離無線通信規格に従って、前記通信部により無線通信接続を確立する、
請求項１から７のいずれかに記載の無線通信端末。
【請求項９】
前記制御部は、無線ＬＡＮ（Local  Area  Network）規格に従って、前記通信部により無線通信接続を確立する、
請求項１から８のいずれかに記載の無線通信端末。
【請求項１０】
前記制御部は、赤外線通信規格に従って、前記通信部により無線通信接続を確立する、
請求項１から９のいずれかに記載の無線通信端末。
【請求項１１】
無線通信端末であって、
他の無線通信端末と無線通信するための通信部と、
前記無線通信端末のユーザに、露光タイミングを報知するための報知部と、
前記無線通信端末の動作を制御するための制御部とを含み、
前記制御部は、
撮影機能を有する撮影側無線通信端末との通信接続を制御し、
前記撮影側無線通信端末と通信接続を確立し、
前記撮影側無線通信端末から送信される前記撮影側無線通信端末の露光タイミングを示す露光タイミング情報を受信し、前記露光タイミング情報に応じて、前記報知部により露光タイミングを報知する、
無線通信端末。
【請求項１２】
前記制御部は、前記撮影側無線通信端末から、前記撮影側無線通信端末の撮影時の露光が終了するタイミングを、前記露光タイミング情報として受信し、受信した露光タイミング情報に示されるタイミングに応じて、露光終了を前記報知部により報知する、
請求項１１記載の無線通信端末。
【請求項１３】
前記制御部は、前記撮影側無線通信端末から、前記撮影側無線通信端末の撮影時の露光が開始するタイミングを、前記露光タイミング情報として受信し、受信した露光タイミング情報に示されるタイミングに応じて、露光開始を前記報知部により報知する、
請求項１１または１２に記載の無線通信端末。
【請求項１４】
前記制御部は、前記撮影側無線通信端末から、露光時間の長さを示す情報を、前記露光タイミング情報として受信し、受信した露光タイミング情報に示される露光時間の長さに応じて前記報知部による報知方法を制御する、
請求項１１から１３のいずれかに記載の無線通信端末。
【請求項１５】
撮影機能を有する無線通信端末の通信を制御するための方法であって、
前記無線通信端末は、ユーザの操作を受け付ける操作部と、カメラモジュールを含み、前記操作部が受け付けた撮影操作に応じて前記カメラモジュールにより撮影する撮影部と、他の無線通信端末と無線通信するための通信部とを備え、
前記方法は、
前記無線通信端末が、前記撮影部による撮影時に、被写体となる他のユーザの無線通信端末へ、前記撮影部の露光タイミングを示す露光タイミング情報を送信するステップを含む、
方法。
【請求項１６】
撮影機能を有する無線通信端末の通信を制御するプログラムであって、
前記無線通信端末は、プロセッサと、ユーザの操作を受け付ける操作部と、
カメラモジュールを含み、前記操作部が受け付けた撮影操作に応じて前記カメラモジュールにより撮影する撮影部と、他の無線通信端末と無線通信するための通信部とを備えており、
前記プログラムは、前記プロセッサに、前記撮影部による撮影時に、被写体となる他のユーザの無線通信端末へ、前記撮影部の露光タイミングを示す露光タイミング情報を前記通信部により送信させるステップを実行させる、
プログラム。
【発明の詳細な説明】
【技術分野】
【０００１】
本発明は、撮影機能を備える無線通信端末に関し、特に、撮影時の利便性を高めるための技術に関する。
【背景技術】
【０００２】
近年、撮像機能を有するカメラモジュールが、デジタルカメラや携帯電話機など、様々なモバイル機器に搭載されている。例えば、ユーザは、カメラ機能を有するモバイル機器を持ち歩いて、人物などを撮影することができる。ユーザは、撮影された画像を、ＳＮＳ（Social  Networking  Service）サイトなどに投稿することで、インターネットを利用して知人と画像を共有することができる。
【０００３】
このように、複数人が被写体となる状況は、ますます増えている。人物の集合写真など、複数人が被写体となって撮影される場合、通常、被写体は、露光開始から露光終了まで、ポーズを維持する必要がある。被写体が動いていると、撮影画像がぶれてしまい、撮影者が意図した画像とならないことがあるためである。そのため、被写体は、撮影時に、露光が終了するのを待つ必要がある。
【０００４】
カメラによる撮影時に、露光の終了を被写体に通知するための技術は、様々なものが知られている。例えば、特開平１０−３９３６５号公報（特許文献１）は、カメラを夜景ポートレートモードに設定し、セルフタイマを設定した場合に、露光が終了したことを、撮影者あるいは主被写体に視覚的に通知する技術を開示する。実公平４−３５７号公報（特許文献２）は、露光撮影時の露光終了を、音響によって報知する技術を開示する。
【先行技術文献】
【特許文献】
【０００５】
【特許文献１】特開平１０−３９３６５号公報
【特許文献２】実公平４−３５７号公報
【発明の概要】
【発明が解決しようとする課題】
【０００６】
しかし、撮影装置による露光の終了を、ストロボ発光など視覚的な方法で被写体に通知することが効果的ではない場合がある。例えば、被写体が、撮影装置の発光を確認できない姿勢で撮影されている場合は、視覚的な方法によって露光終了を通知することが困難である。また、撮影装置による露光の終了を、音によって被写体に通知する場合も、同様に被写体に露光終了を効果的に通知できないおそれがある、という課題がある。例えば、被写体が、比較的騒音の大きい場所において撮影されている場合、被写体は、撮影装置の発する音を聞き取れないことがある。また、音を発することが好ましくない場所もある。
【０００７】
そこで、本発明は、撮影機能を有する無線通信端末において、露光終了を被写体に効果的に通知することで、撮影時の利便性を高める技術を提供することを目的とする。
【課題を解決するための手段】
【０００８】
一実施形態に従う無線通信端末は、撮影機能を有し、ユーザの操作を受け付ける操作部と、カメラモジュールを含み、操作部が受け付けた撮影操作に応じてカメラモジュールにより撮影する撮影部と、他の無線通信端末と無線通信するための通信部と、撮影部による撮影時に、被写体となる他のユーザの無線通信端末へ、撮影部の露光タイミングを示す露光タイミング情報を通信部により送信する制御部とを含む。
【０００９】
好ましくは、制御部は、撮影部による撮影時の露光が終了するタイミングを、露光タイミング情報として他のユーザの無線通信端末へ送信することとしてもよい。
【００１０】
好ましくは、制御部は、撮影部による撮影時の露光が開始するタイミングを、露光タイミング情報として他のユーザの無線通信端末へ送信することとしてもよい。
【００１１】
好ましくは、制御部は、撮影モードに応じた露光時間の長さを示す情報を、露光タイミング情報として他のユーザの無線通信端末へ送信することとしてもよい。
【００１２】
好ましくは、制御部は、撮影部による撮影時に、被写体となる他のユーザの無線通信端末と通信部との無線通信接続を確立し、無線通信接続が確立された無線通信端末へ、露光タイミング情報を送信することとしてもよい。
【００１３】
好ましくは、制御部は、無線通信端末の周囲にある少なくとも１つの他の無線通信端末を検出し、検出された他の無線通信端末のうち、操作部により選択操作を受け付けた他の無線通信端末と、通信部との無線通信接続を確立し、無線通信接続が確立された無線通信端末へ、露光タイミング情報を送信することとしてもよい。
【００１４】
好ましくは、無線通信端末は、各ユーザと対応づけて、各ユーザを識別する識別情報をそれぞれ記憶するための記憶部を含み、制御部は、識別情報に基づいて、他のユーザを示す情報を表示部に表示し、操作部により他のユーザの選択操作を受け付けることで、選択されたユーザの無線通信端末との無線通信接続を確立することとしてもよい。
【００１５】
好ましくは、制御部は、近距離無線通信規格に従って、通信部により無線通信接続を確立することとしてもよい。
【００１６】
好ましくは、制御部は、無線ＬＡＮ（Local  Area  Network）規格に従って、通信部により無線通信接続を確立することとしてもよい。
【００１７】
好ましくは、制御部は、赤外線通信規格に従って、通信部により無線通信接続を確立することとしてもよい。
【００１８】
一実施形態に従う無線通信端末は、他の無線通信端末と無線通信するための通信部と、無線通信端末のユーザに、露光タイミングを報知するための報知部と、無線通信端末の動作を制御するための制御部とを含み、制御部は、撮影機能を有する撮影側無線通信端末との通信接続を制御し、撮影側無線通信端末と通信接続を確立し、撮影側無線通信端末から送信される撮影側無線通信端末の露光タイミングを示す露光タイミング情報を受信し、露光タイミング情報に応じて、報知部により露光タイミングを報知する。
【００１９】
好ましくは、制御部は、撮影側無線通信端末から、撮影側無線通信端末の撮影時の露光が終了するタイミングを、露光タイミング情報として受信し、受信した露光タイミング情報に示されるタイミングに応じて、露光終了を報知部により報知することとしてもよい。
【００２０】
好ましくは、制御部は、撮影側無線通信端末から、撮影側無線通信端末の撮影時の露光が開始するタイミングを、露光タイミング情報として受信し、受信した露光タイミング情報に示されるタイミングに応じて、露光開始を報知部により報知することとしてもよい。
【００２１】
好ましくは、制御部は、撮影側無線通信端末から、露光時間の長さを示す情報を、露光タイミング情報として受信し、受信した露光タイミング情報に示される露光時間の長さに応じて報知部による報知方法を制御することとしてもよい。
【００２２】
別の実施形態に従うと、撮影機能を有する無線通信端末の通信を制御するための方法が提供される。ここで、無線通信端末は、ユーザの操作を受け付ける操作部と、カメラモジュールを含み、操作部が受け付けた撮影操作に応じてカメラモジュールにより撮影する撮影部と、他の無線通信端末と無線通信するための通信部とを備える。撮影機能を有する無線通信端末の通信を制御するための方法は、無線通信端末が、無線通信端末が、撮影部による撮影時に、被写体となる他のユーザの無線通信端末へ、撮影部の露光タイミングを示す露光タイミング情報を送信するステップを含む。
【００２３】
別の実施形態に従うと、撮影機能を有する無線通信端末の通信を制御するプログラムが提供される。ここで、無線通信端末は、プロセッサと、ユーザの操作を受け付ける操作部と、カメラモジュールを含み、操作部が受け付けた撮影操作に応じてカメラモジュールにより撮影する撮影部と、他の無線通信端末と無線通信するための通信部とを備える。撮影機能を有する無線通信端末の通信を制御するプログラムは、プロセッサに、撮影部による撮影時に、被写体となる他のユーザの無線通信端末へ、撮影部の露光タイミングを示す露光タイミング情報を通信部により送信させるステップを実行させる。
【発明の効果】
【００２４】
上記一実施形態によると、露光タイミングを被写体に効果的に通知することで、撮影時の利便性を高めることができる。
【００２５】
この発明の上記および他の目的、特徴、局面および利点は、添付の図面と関連して理解されるこの発明に関する次の詳細な説明から明らかとなるであろう。
【図面の簡単な説明】
【００２６】
【図１】本実施形態の通信装置１の利用場面を示す図である。
【図２】通信装置１の構成を示すブロック図である。
【図３】通信装置５の構成を示すブロック図である。
【図４】通信装置１が撮影時に露光タイミングを通信装置５へ通知する処理を示すフローチャートである。
【図５】ユーザが、露光タイミングを通知する対象となる通信装置を選択する場合の表示画面６１を示す図である。
【発明を実施するための形態】
【００２７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２８】
＜１  概要＞
図１は、本実施形態の通信装置１の利用場面を示す図である。
【００２９】
図１に示すように、通信装置１を操作する撮影側ユーザは、被写体となる複数人のユーザを、通信装置１の撮影機能を用いて撮影する。通信装置１は、例えば、スマートフォンである。通信装置１の撮影側ユーザは、通信装置１のカメラ機能を起動し、後述する表示部１３に表示されるプレビュー画像を確認しつつ、後述する操作部１４を操作することで、撮影を行う。なお、本実施形態では、通信装置１は、タッチパネルディスプレイを備えており、このタッチパネルディスプレイが、表示部１３の機能と操作部１４の機能を発揮する。
【００３０】
被写体となる複数人のユーザは、それぞれ、通信装置５（図１では、各ユーザに対応して、通信装置５Ａ、通信装置５Ｂ、通信装置５Ｃとして示す）を保有している。通信装置５Ａを保有するユーザは、通信装置５Ａを、衣服のポケットに入れて保有している。通信装置５Ｂを保有するユーザは、通信装置５Ｂにストラップを装着して首からぶら下げている。通信装置５Ａ、通信装置５Ｂは、スマートフォンなどの無線通信端末である。通信装置５Ｃは、腕時計型の無線通信端末である。通信装置５Ｃは、リストバンドを装着させることが可能であり、これにより、ユーザは、通信装置５Ｃを腕に装着することができる。腕時計型の無線通信端末は、例えば、無線通信接続によりインターネットに接続し、音楽配信サイトから音楽データをダウンロードして、音楽再生プレイヤーとして機能する。また、通信装置５Ｃは、無線通信接続によってスマートフォンと連携して、スマートフォンを介した通話機能やメール確認機能などを発揮する。
【００３１】
通信装置１に搭載されるカメラのイメージセンサは、高画素化のため、ＣＭＯＳ（Complementary  Metal  Oxide  Semiconductor）撮像素子などが用いられる。ＣＭＯＳ撮像素子は、被写体に動きがあると、撮影画像が歪むことがある。そのため、被写体となるユーザは、通信装置１のカメラが露光を開始してから露光終了するまでの間、なるべく動かずポーズを維持する必要がある。そのため、被写体となるユーザは、通信装置１の露光のタイミングを知覚できることが好ましい。
【００３２】
ここで、通信装置１は、ストロボ発光など視覚的な方法で、露光開始のタイミングや露光終了のタイミングを被写体へ通知することもできる。しかし、被写体となるユーザの姿勢によっては、被写体が通信装置１の発光を確認できないことがある。また、被写体となるユーザが、通信装置１の発光部を注視してしまい、被写体の視線が通信装置１のカメラのレンズに向かず、撮影者の意図した撮影画像が得られないおそれもある。
【００３３】
そこで、本実施形態では、通信装置１は、通信装置５と無線通信接続を確立し、通信装置１のカメラの露光開始のタイミングや露光終了のタイミングなどを、無線通信により通信装置５へ通知する。通信装置５は、この露光タイミングの通知に対応して、通信装置５を保持するユーザに、通信装置１の露光開始時や露光終了時に報知する。報知方法は、例えば、通信装置５のバイブレータを振動させることなどにより行う。
【００３４】
＜２  構成＞
次に、通信装置１と通信装置５の構成について、図面を用いて説明する。
【００３５】
＜２．１  通信装置１の構成＞
図２は、通信装置１の構成を示すブロック図である。
【００３６】
図２に示すように、通信装置１は、無線通信部１１と、撮影部１２と、表示部１３と、操作部１４と、記憶部１５と、制御部１６とを含む。制御部１６は、通信制御部１７と、表示制御部１８と、撮影制御部１９とを含む。
【００３７】
無線通信部１１は、アンテナや高周波回路などを含み、通信装置１の無線通信信号の変復調や周波数変換を行う。無線通信部１１は、各通信方式に対応してアンテナなどを含む。通信方式とは、例えば、Ｂｌｕｅｔｏｏｔｈ（登録商標）などの近距離無線通信規格や、ＩＥＥＥ（The Institute of Electrical and Electronic Engineers）８０２．１１などの無線ＬＡＮ（Local  Area  Network）規格や、ＩｒＤＡ（Infrared  Data  Association）などの赤外線通信規格などがある。無線通信部１１は、これらの通信規格に対応してアンテナやポートなどを含む。また、無線通信部１１は、３Ｇ方式など、移動体通信システムにおける通信方式に対応している。
【００３８】
撮影部１２は、カメラモジュールを含む。カメラモジュールは、後述する制御部１６によって、動作が制御される。撮影部１２は、カメラモジュールのイメージセンサで光を受光し、受光した光を、光電変換により電気信号に変換する。撮影部１２は、この電気信号を、Ａ／Ｄ（Analog  to  Digital）変換によりデジタル信号に変換して撮影画像データを出力する。
【００３９】
表示部１３は、静止画や動画などを表示するためのディスプレイであり、例えばＬＣＤ（Liquid  Crystal  Display）や有機ＥＬディスプレイ（organic  electroluminescence  display）である。
【００４０】
操作部１４は、ユーザの操作を受け付けるための操作部材であり、例えば静電容量方式によってユーザの接触操作を受け付けるタッチパネルである。
【００４１】
記憶部１５は、メモリ等により構成され、通信装置１で用いるプログラムなどが記憶される。
【００４２】
制御部１６は、ＭＣＵ（Micro  Control  Unit）等により構成され、プログラムに従って、通信装置１の動作を制御する。通信装置１の動作は、具体的には、通信制御部１７、表示制御部１８、撮影制御部１９等が機能を発揮することにより実現される。通信制御部１７は、無線通信部１１を制御して、通信シーケンスに従って、通信装置５等の外部の通信機器と無線通信をする。表示制御部１８は、表示部１３に表示する画像データを逐次生成し、表示部１３の表示内容を制御する。撮影制御部１９は、撮影部１２を駆動させ、撮影部１２が出力する撮影画像データを処理し、撮影画像データを記憶部１５に記憶等させる。
【００４３】
＜２．２  通信装置５の構成＞
図３は、通信装置５の構成を示すブロック図である。
【００４４】
図３に示すように、通信装置５は、制御部５０と、無線通信部５１と、報知部５２と、表示部５３と、操作部５４と、記憶部５５とを含む。制御部５０は、通信制御部５６と、表示制御部５７と、報知制御部５８とを含む。
【００４５】
無線通信部５１は、通信装置１の無線通信部１１と同様に、アンテナや高周波回路などを含み、通信装置５の無線通信信号の変復調や周波数変換を行う。無線通信部５１は、各通信方式に対応してアンテナなどを含む。通信方式とは、例えば、Ｂｌｕｅｔｏｏｔｈ（登録商標）などの近距離無線通信規格や、ＩＥＥＥ８０２．１１などの無線ＬＡＮ規格や、ＩｒＤＡなどの赤外線通信規格などがある。無線通信部５１は、これらの通信規格に対応してアンテナやポートなどを含む。また、無線通信部５１は、３Ｇ方式など、移動体通信システムにおける通信方式に対応している。無線通信部５１は、これら通信方式により、通信装置１と通信することができる。
【００４６】
報知部５２は、バイブレータ５９を含んでいる。報知部５２は、制御部５０の制御に従って動作し、通信装置５のユーザに対し、バイブレータ５９の振動等により、通信装置１や通信装置５で、一定の操作がなされたことを通信装置５のユーザに通知する。報知部５２の通知方法は、図３に示すバイブレータ５９の振動に限らない。例えば、通信装置５がＬＥＤ（Light  Emitting  Diode）ライトを備える場合、このＬＥＤライトの発光を制御することで、通信装置５のユーザに通知することとしてもよい。
【００４７】
表示部５３は、静止画や動画などを表示するためのディスプレイであり、例えばＬＣＤや有機ＥＬディスプレイである。
【００４８】
操作部５４は、ユーザの操作を受け付けるための操作部材であり、例えば静電容量方式によってユーザの接触操作を受け付けるタッチパネルである。
【００４９】
記憶部５５は、メモリ等により構成され、通信装置５で用いるプログラムなどが記憶される。
【００５０】
制御部５０は、ＭＣＵ等により構成され、プログラムに従って、通信装置５の動作を制御する。通信装置５の動作は、具体的には、通信制御部５６、表示制御部５７、報知制御部５８等が機能を発揮することによりなされる。通信制御部５６は、無線通信部５１を制御して、通信シーケンスに従って、通信装置１等の外部の通信機器と無線通信をする。表示制御部５７は、表示部５３に表示する画像データを逐次生成し、表示部５３の表示内容を制御する。報知制御部５８は、報知部５２を駆動させ、報知部５２の報知動作を制御する。
【００５１】
＜３  動作＞
次に、図４を参照して、通信装置１および通信装置５の動作について、説明する。図４は、通信装置１が、撮影時に露光開始や露光終了などの露光タイミングを通信装置５へ通知する処理を示すフローチャートである。図４に示す例では、通信装置１の露光タイミングに応じて通信装置５において報知をするための通信アプリケーションが提供されている。通信装置１と通信装置５は、各々がこの通信アプリケーションを起動している。この通信アプリケーションは、例えば、通信装置１を動作させるＯＳ（Operating  System）と、通信装置５を動作させるＯＳとが対応しているアプリケーション配信用のプラットフォームを通じて配信される。
【００５２】
ステップＳ２１において、通信装置１の制御部１６は、操作部１４へのユーザの操作に基づいて、撮影部１２のカメラモジュールを起動する。
【００５３】
ステップＳ２３において、通信制御部１７は、Ｂｌｕｅｔｏｏｔｈ（登録商標）による通信を開始し、通信装置１の周囲にある、ペアリングの候補となる通信装置を検出する。表示制御部１８は、検出された通信装置の候補を表示部１３に表示する。
【００５４】
ステップＳ２５において、通信制御部１７は、露光タイミングを通知する対象となる通信装置を選択し、選択された通信装置に通信確立要求を送信して、ペアリングによる通信接続を確立する。
【００５５】
ステップＳ３５において、通信装置５の通信制御部５６は、通信装置１からの通信確立要求に応じて、通信確立応答を通信装置１へ送信し、通信装置１との通信接続を確立する。
【００５６】
ステップＳ２７において、通信装置１の撮影制御部１９は、撮影に設定されている撮影モード（例えば、夜景撮影モードや接写撮影モードなど）、周囲の明るさの検出結果などに応じて、撮影時の露光時間を算出する。撮影に適した露光時間は、照度など、撮影時の条件により定まる。さらに、撮影制御部１９は、算出された露光時間を示す情報を含めて、露光開始タイミングの通知を通信装置１へ送信する。
【００５７】
ステップＳ３７において、通信装置５の通信制御部５６は、通信装置１から送信される露光開始タイミングの通知を受信する。報知制御部５８は、露光開始タイミングの通知に含まれる露光時間の長さに応じて報知方法を変えて、報知部５２による報知を実行する。例えば、報知制御部５８は、露光時間の長さに応じて、バイブレータ５９の振動パターンを様々に変化させることとしてもよい。例えば、記憶部５５は、露光時間の長さと、バイブレータ５９の振動パターンなどの報知パターンとを対応づけて記憶しており、報知制御部５８は、露光開始タイミングの通知に含まれる露光時間の長さに対応するバイブレータ５９の振動パターンで報知する。
【００５８】
ステップＳ２９において、通信装置１の撮影制御部１９は、撮影部１２により撮影するため、露光を開始する。
【００５９】
ステップＳ３１において、撮影制御部１９は、露光を終了する。
ステップＳ３３において、通信制御部１７は、通信装置１において露光が終了したことを示す露光終了タイミングの通知を、通信装置５へ送信する。
【００６０】
ステップＳ３９において、通信装置５の通信制御部５６は、露光終了タイミングの通知を通信装置１から受信するまで待機する（ステップＳ３９：ＮＯ）。
【００６１】
ステップＳ４１において、通信装置５が露光終了タイミングの通知を通信装置１から受信すると、報知制御部５８は、露光終了を、通信装置５のユーザへ報知部５２によって報知する。例えば、記憶部５５は、露光開始タイミングの時の報知方法と、露光終了タイミングの時の報知方法との設定を記憶しており、報知制御部５８は、記憶される設定に従って報知を実行する。
【００６２】
以上のように通信装置１と通信装置５とが動作することにより、通信装置５のユーザは、露光開始のタイミングと露光終了のタイミングを容易に知ることができ、通信装置１の撮影時の利便性が高まる。また、通信装置５は、ステップＳ３７において、露光時間の長さに応じて報知方法を制御する。そのため、通信装置５のユーザは、露光時間がどの程度の長さになるか、撮影開始時に把握することができ、被写体となるときにポーズを維持する時間を推測しやすくなる。また、通信装置５は、露光時間の長さを示す情報に基づいて、露光開始から露光終了までの間、露光中であることを報知部５２に報知させ、露光終了タイミングが近づくにつれ、報知部５２による報知方法を変化させてもよい。これにより、ユーザは、露光中においても露光が終了しつつあることを確認することができ、被写体となるときにポーズを維持する残り時間を推測しやすくなる。
【００６３】
なお、上記実施形態では、露光タイミングとして、露光開始タイミングと露光終了タイミングの両方を通知することとして説明しているが、露光開始タイミングまたは露光終了タイミングのどちらかのみを通知するようにしてもよい。この場合も、ユーザは、被写体となるときに上記のような露光開始タイミングまたは露光終了タイミングが通知されることによって利便性が高まる。
【００６４】
＜４  変形例＞
次に、本実施形態の変形例について、図面を用いて説明する。
【００６５】
＜４．１  無線通信の接続先の選択＞
上記実施形態のステップＳ２５において、通信装置１の通信制御部１７は、露光タイミングを通知する対象となる通信装置を接続する。このとき、通信装置１において、露光タイミングを通知する通信装置をユーザが選択する場合に、ユーザを識別するためのデータを参照することとしてもよい。ユーザを識別するための情報とは、例えば電話帳であり、各ユーザと、ユーザに関する情報（ユーザ名、ユーザに対応する画像など）とが対応づけられている。こうすることで、ユーザによる通信装置の選択が容易となる。
【００６６】
図５は、ユーザが、露光タイミングを通知する対象となる通信装置を選択する場合の表示画面６１を示す図である。接続先表示領域６２は、ユーザによる通信装置の選択の対象となるユーザを表示する。切り替え操作領域６３は、ユーザが選択する対象となる他のユーザを表示させるための操作領域である。許可ボタン６４は、表示画面６１に表示されているユーザを選択することを示し、不許可ボタン６５は、表示画面６１に表示されているユーザを選択しないことを示す。
【００６７】
なお、通信装置１は、過去に無線通信を確立した履歴がない通信装置５と接続する際に、通信装置５に固有の情報を、通信装置５のユーザを識別する情報と対応づけて記憶することとしてもよい。この場合、通信装置１は、図４のステップＳ２３において通信装置を検出すると、ユーザを識別する情報を参照する。ユーザを識別する情報は、各ユーザのユーザ名、各ユーザのＳＮＳアカウントの情報などであり、これらの情報は、電話帳や、ＳＮＳを利用するためのアプリケーション等に保持されている。このユーザを識別する情報の参照結果を用いて、通信装置１は、ステップＳ２３において検出される通信装置を、ユーザと対応づけて表示部１３に表示することができる。
【００６８】
また、通信装置１は、ステップＳ２１においてカメラモジュールを起動すると、ユーザによる撮影操作にかかわらず、イメージセンサで受けた光を撮影画像データとして出力する。この撮影画像データにおいて、被写体となるユーザの顔を画像認識することによりユーザを特定できる場合、ステップＳ２５において、通信装置１は、画像認識により特定されたユーザに対応する通信装置を選択することとしてもよい。これにより、通信装置１は、露光タイミングを通知する対象となる通信装置を、容易に選択することができる。
【００６９】
＜４．２  無線通信の接続方法＞
上記実施形態の動作の説明では、通信装置１と通信装置５とは、Ｂｌｕｅｔｏｏｔｈ（登録商標）により通信接続を確立するものとして説明した。これに限らず、無線ＬＡＮ規格や、赤外線通信規格や、移動体通信方式の通信規格など、他の通信規格に従って、通信装置１と通信装置５との通信接続を確立することとしてもよい。
【００７０】
＜４．３  露光タイミングの通知方法＞
上記実施形態の説明では、通信装置１と通信装置５とは、通信接続を確立した後に、露光タイミングを通知するものとして説明した。これに限らず、通信装置１から通信装置５へ、通信接続を確立せず露光タイミングを通知することとしてもよい。例えば、通信装置１から通信装置５へ、ブロードキャストなどによって露光タイミングを通知してもよい。通信装置１から通信装置５へ、プッシュ型の通知を行うことで露光タイミングを通知する場合、各通信装置と通信接続を確立する必要がなく、処理がより簡易となる。
【００７１】
以上、本発明者によってなされた発明を実施の形態に基づき具体的に説明したが、本発明は前記実施の形態に限定されるものではなく、その要旨を逸脱しない範囲で種々変更可能であることはいうまでもない。今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００７２】
１  通信装置、５  通信装置、１１  無線通信部、１２  撮影部、１３  表示部、１４  操作部、１５  記憶部、１６  制御部、１７  通信制御部、１８  表示制御部、１９  撮影制御部、５０  制御部、５１  無線通信部、５２  報知部、５３  表示部、５４  操作部、５５  記憶部、５６  通信制御部、５７  表示制御部、５８  報知制御部、５９  バイブレータ、６１  表示画面、６２  接続先表示領域、６３  切り替え操作領域、６４  許可ボタン、６５  不許可ボタン。
【図１】
2014050074.tif 000003
【図２】
2014050074.tif 000004
【図３】
2014050074.tif 000005
【図４】
2014050074.tif 000006
【図５】
2014050074.tif 000007